(57)【要約】【課題】従来の熱アシスト記録方式を用いた情報記録再生装置では、半径位置によって磁気記録素子と熱源とが位置ずれをおこし、信号品質の低い信号を書き込む問題や、隣接トラックの信号を劣化させるという問題があった。【解決手段】半径位置毎に磁気記録素子と熱源の位置を測定し、熱源および磁界により隣接トラックの信号が劣化する場合には、熱スポットや減磁を引き起こす強度の磁界が当該トラック内におさまるように制御する。また、熱もしくは磁界のいずれかによって隣接トラックの信号が劣化する場合には、熱スポットもしくは減磁を引き起こす強度の磁界が当該トラック内におさまるように制御する【選択図】図４
2010123232.tif 000002
【特許請求の範囲】
【請求項１】
磁気記録層を有する磁気ディスクと、
ヘッド・スライダ上にある記録素子と
前記ヘッド・スライダ上にあり、前記記録素子によって発生する記録磁界が前記記録層に印加される領域にアシスト・エネルギーを与えるアシスト素子と、
前記磁気ディスクの半径方向における前記ヘッド・スライダの位置に応じて、前記アシスト素子よるアシスト領域の大きさを制御するコントローラと、
を有する磁気記録装置。
【請求項２】
前記コントローラは、前記ヘッド・スライダの長手方向と記録トラックとの間のずれであるスキュー角の増加に応じて、前記アシスト領域を小さくする、
請求項１に記載の磁気記録装置。
【請求項３】
前記コントローラは、ディスク半径方向における前記アシスト領域の幅が前記記録素子による記録磁界幅内に収まるように、前記アシスト素子を制御する、
請求項１に記載の磁気記録装置。
【請求項４】
前記コントローラは、
前記記録素子によって、隣接する記録トラックの一部が重なるように、複数連続記録トラックをディスク半径方向における一方の側から他方の側に向かって書き進み、
前記複数連続記録トラックのそれぞれの書き込みにおいて、前記アシスト領域の前記一方の側の端が前記記録素子による記録磁界内に収まるように、前記アシスト素子を制御する、
請求項１に記載の磁気記録装置。
【請求項５】
前記コントローラは、前記スキュー角による前記アシスト範囲の中心と前記記録素子による記録磁界の中心のずれに応じて、前記記録素子のターゲット位置を補正する、
請求項１に記載の磁気記録装置。
【請求項６】
前記コントローラは、異なる半径位置において前記記録素子による記録磁界幅の中心と前記アシスト領域の中心との差分を測定し、
前記差分に応じて、各半径位置におけるアシスト領域を決定する、
請求項１に記載の磁気記録装置。
【請求項７】
前記コントローラは、各半径位置における前記アシスト領域による減磁領域と、前記記録磁界による減磁領域とを測定することで、前記差分を測定する、
請求項６に記載の磁気記録装置。
【請求項８】
前記コントローラは、各半径位置における前記アシスト領域による減磁領域と、前記アシスト領域と前記記録磁界による記録幅とを測定することで、前記差分を測定する、
請求項６に記載の磁気記録装置。
【請求項９】
記録素子からの記録磁界とアシスト素子からのアシスト・エネルギーにより磁気ディスクの記録層にデータを記録する磁気記録装置に対する設定方法であって、
磁気ディスクの異なる半径位置において前記記録素子による記録磁界幅の中心と前記アシスト領域の中心との差分を測定し、
前記測定結果に応じて、前記磁気ディスクの半径位置に応じた前記アシスト領域の大きさを決定し、
前記半径位置に応じた前記アシスト領域の大きさを表すデータを登録する、
方法。
【請求項１０】
各半径位置における前記アシスト領域による減磁領域と、前記記録磁界による減磁領域とを測定することで、前記差分を測定する、
請求項９に記載の方法。
【請求項１１】
各半径位置における前記アシスト領域による減磁領域と、前記アシスト領域と前記記録磁界による記録幅とを測定することで、前記差分を測定する、
請求項１０に記載の方法。
【請求項１２】
前記データは、前記記録素子と記録トラックとの間のスキュー角の増加に応じて、前記アシスト領域を小さくすることを示す、
請求項９に記載の方法。
【請求項１３】
前記データは、ディスク半径方向における前記アシスト領域の幅が前記記録素子による記録磁界幅内に収まるように、前記アシスト素子を制御することを示す、
請求項９に記載の方法。
【請求項１４】
前記データは、記記録素子によって、隣接する記録トラックの一部が重なるように、複数連続記録トラックをディスク半径方向における一方の側から他方の側に向かって書き進む場合に、前記複数連続記録トラックのそれぞれの書き込みにおいて、前記アシスト領域の前記一方の側の端が前記記録素子による記録磁界内に収まるように、前記アシスト素子を制御することを示す、
請求項９に記載の方法。
【発明の詳細な説明】
【技術分野】
【０００１】
本発明は磁気ディスク・ドライブ及びその磁気記録方法に関し、特に、磁気情報の記録において磁気ディスクにエネルギーを与えることで磁気記録層の保持力を下げるアシスト磁気記録方式を実装した磁気ディスク・ドライブにおける制御に関する。
【背景技術】
【０００２】
磁気ディスク・ドライブの一つであるハードディスク・ドライブ（ＨＤＤ）の基本的な構成は、磁気ディスクと磁気ディスクを回転させるスピンドルモータ、記録再生素子を搭載したヘッド・スライダ、ヘッド・スライダを保持するサスペンション、ヘッド・スライダを所望のデータが記録された位置に移動させるようにサスペンションを回動駆動するボイス・コイル・モータ（ＶＣＭ）を有している。
【０００３】
ＨＤＤは、情報を記録再生する際には、磁気ディスクに形成されたトラックのうち、所望のトラック上を記録再生素子（ヘッド素子部）が飛行するようにＶＣＭによってサスペンションを回動させる。ＨＤＤは、トラック上に形成されたサーボ信号と呼ばれる位置決め信号を読み出すことで現在の位置を割り出し、記録再生素子を所望のトラックまで移動する。記録動作において、ＨＤＤは、再生素子で読み出した位置決め信号を参照し、記録位置へと記録素子を移動する。再生動作時においても同様に、再生素子で読み出した位置決め信号を参照し、再生素子を再生位置へと移動する。
【０００４】
トラックは円周状に形成されており、ヘッド・スライダ上の記録再生素子は、前述のとおり、サスペンションの軸を中心としたＶＣＭによる回動運動により移動する。そのため、記録素子とトラックとの間の角度、また、あるいは再生素子とトラックとの間の角度は、それぞれ、磁気ディスクの半径位置により変化する。記録素子あるいは再生素子の位置におけるヘッド・スライダ長手方向とトラックの接線方向(円周方向)との間のずれは、スキュー角と呼ばれる。このスキュー角は、磁気ディスクの半径位置により変化する。
【０００５】
一方、近年の情報のディジタル化や小型化の要求に伴い、ＨＤＤの高記録密度に対する要求が高まっている。この高記録密度を実現するためには、１ビットあたりの記録面積は小さくなる。しかし、その影響から記録情報（記録ビット）の境界では磁性粒子の境界が一致せず、記録ビットの境界部分で磁化遷移位置が乱れ、これが雑音を増加させる原因となる。この雑音を抑制するためには、磁性粒子の粒径を小さくすることが重要である。
【０００６】
しかし、粒径が小さくなることで磁性粒子が持つ磁気的エネルギーが小さくなり、この磁気的エネルギーが熱エネルギーを下回った場合は、「熱揺らぎ」と呼ばれる磁気情報の消失が起こる。この熱揺らぎに対応するためには、磁気異方性定数の大きな磁性粒子材料で磁気ディスクの記録層を作成すればよいが、保磁力も大きくなるために記録磁界も大きくしなければならない。大きな記録磁界を発生させるためには記録素子の微細化が困難になる。逆に、微細な記録素子が発生する記録磁界では磁気ディスクの保持力を超えられず、情報を記録することができない。
【０００７】
上記のような問題に対して、熱や電磁波によるエネルギーを使用したアシスト磁気記録方式が提案されている。その中で、熱アシスト磁気記録（Ｈｅａｔ  Ａｓｉｓｔ  Ｍａｇｎｅｔｉｃ  Ｒｅｃｏｒｄｉｎｇ：ＨＡＭＲ）について図１０を参照して説明する。図１０は、磁性粒子の温度と保磁力の関係を示す。この磁性粒子を採用した磁気ディスクは常温Ｔｒ℃における保磁力はＨｃ０となる。この記録層を暖めることで保持力Ｈｃが下がり、温度Ｔｗ以上に加熱すると、微細な記録素子が発生する記録磁界Ｈｗが媒体のＨｃを上回り記録することができる。加熱手段としては、レーザ光のほか、近年は近接場光の利用も検討されている。
【０００８】
一方、磁気記録層は、記録時以外では温度が下がり、保磁力Ｈｃが高い状態Ｈｃ０に戻るため、記録時以外は高い保磁力により熱揺らぎの耐性を持つことができる。このように、ＨＡＭＲの基本的な概念は、磁気ディスクを加熱することで記録層の保磁力を低下させ、記録素子が発生できる記録磁界強度で記録を行うものである。このようなＨＡＭＲは、磁気ディスク記録層の保磁力とヘッド素子部からの記録磁界強度、媒体を加熱する構成の種類やサイズなどにより、以下の３種類に分けることができる。本明細書において、これらを、それぞれ、磁化方式、熱スポット方式、そしてハイブリッド方式と呼ぶ。
【０００９】
図１１Ａは、磁界方式の構成を模式的に示している。磁界方式のＨＤＤは、幅広い熱スポット（加熱領域）６０１に対して、微小な記録素子６０２を持つ。熱スポット６０１は減磁領域を示している。熱スポット６０１と記録磁界とが同時に重なる位置にデータが記録される。なお、本図において、記録素子６０２と同じ領域に記録磁界が形成されているとする。これらの点は、以下に説明する図において同様である。
【００１０】
図１１Ａにおいて、記録素子幅より熱スポット径が十分に広い。このため、磁気ディスク上で記録磁界Ｈｗに到達する範囲（図において記録素子６０２と重なる範囲）では、磁気ディスクの保磁力Ｈｃのほうが記録磁界Ｈｗよりも低い。よって、磁気ディスク上の記録幅（トラック幅）は、記録素子６０２（のトレーリング・エッジ）の幅で決まる。また、熱によって隣接の記録磁化は減磁しない、もしくは、その影響は軽微である。
【００１１】
図１１Ｂは、熱スポット方式の構成を模式的に示している。熱スポット方式のＨＤＤは、狭い熱スポット６０３の径に対して、十分に幅広い記録素子６０４を持つ。この構成において、磁気ディスク上で記録磁界Ｈｗに到達する範囲（図において記録素子６０４と重なる範囲）は、熱スポット６０３の径に対して広い。熱スポット６０３と記録磁界とが同時に重なる位置にデータが記録される。そのため、記録幅（トラック幅）は、熱スポット６０３の径で決まる。また、記録素子６０４による記録磁界によって隣接の記録磁化は減磁しない、もしくは、その影響は軽微である。
【００１２】
図１１Ｃは、ハイブリッド方式の構成を模式的に示している。磁気データは、熱スポットと記録磁界が重なり合った部分で記録される。つまり、データが記録されている領域の幅（記録幅）６１０は、熱スポットと記録磁界幅のうちの狭い方の領域になる。一方、本構成において、磁気記録層の磁化は、熱スポット内の熱により減磁され、また、記録磁界によっても減磁される。つまり、隣接トラックへの影響は、熱スポット径と記録磁界幅のうちの広い領域６１１ないし６１２におよぶ。このため、熱スポット径と記録磁界幅とが、隣接トラックにはみ出さないように設計する必要がある。
【００１３】
従来の技術としては、例えば、特許文献１に開示されている技術ように、熱スポット径を変化させることで、熱スポット径および記録素子幅によらずに狭トラック幅を実現する手法が知られている。
【特許文献１】特開２００７−１２２２６号公報
【発明の開示】
【発明が解決しようとする課題】
【００１４】
上述のように、ＨＡＭＲにおいて記録される幅は、熱スポット径と記録磁界幅によって決まる。しかし、前述のＨＤＤのように、ＶＣＭの回動運動でヘッド・スライダを移動するロータリーアクチュエータを採用したＨＤＤにおいては、磁気ディスクの半径方向の位置の違いが、スキューの変化にあわせて、ヘッド・スライダ上の素子の半径方向の位置ずれの変化に現れる。すなわち、スキューの変化と共に、記録素子とアシスト素子との半径方向の位置が変化し、スキュー角の絶対値が大きい半径位置では、意図しない記録幅の変動が生じるという問題があった。
【００１５】
そこで、本発明の目的は、スキュー角によりアシスト素子と記録素子との半径方向の位置に変動が生じても、記録幅の変動を抑えることである。
【課題を解決するための手段】
【００１６】
本発明の一態様の磁気記録装置は、磁気記録層を有する磁気ディスクと、ヘッド・スライダ上にある記録素子と前記ヘッド・スライダ上にあり、前記記録素子によって発生する記録磁界が前記記録層に印加される領域にアシスト・エネルギーを与えるアシスト素子と、前記磁気ディスクの半径方向における前記ヘッド・スライダの位置に応じて、前記アシスト素子よるアシスト領域の大きさを制御するコントローラとを有する。適切な記録アシスト径を与えることで、半径位置に応じて所望の記録幅を実現することができる。
【００１７】
前記コントローラは、前記ヘッド・スライダの長手方向と記録トラックとの間のずれであるスキュー角の増加に応じて、前記アシスト領域を小さくする。これにより、隣接トラックへの影響を低減することができる。
前記コントローラは、ディスク半径方向における前記アシスト領域の幅が前記記録素子による記録磁界幅内に収まるように、前記アシスト素子を制御する。これにより、所望のトラック幅を得つつ隣接トラックへの影響を低減することができる。
【００１８】
前記コントローラは、前記記録素子によって、隣接する記録トラックの一部が重なるように、複数連続記録トラックをディスク半径方向における一方の側から他方の側に向かって書き進み、前記複数連続記録トラックのそれぞれの書き込みにおいて、前記アシスト領域の前記一方の側の端が前記記録素子による記録磁界内に収まるように、前記アシスト素子を制御する。これにより、適切なトラック幅を得つつ隣接トラックへの影響を低減することができる。
前記コントローラは、前記スキュー角による前記アシスト範囲の中心と前記記録素子による記録磁界の中心のずれに応じて、前記記録素子のターゲット位置を補正する。これにより、より広い記録幅を得ることができる。
【００１９】
前記コントローラは、異なる半径位置において前記記録素子による記録磁界幅の中心と前記アシスト領域の中心との差分を測定し、前記差分に応じて、各半径位置におけるアシスト領域を決定する。これにより、より正確にアシスト領域を制御することができる。前記コントローラは、各半径位置における前記アシスト領域による減磁領域と、前記記録磁界による減磁領域とを測定することで、前記差分を測定する。これにより正確に測定を行うことができる。前記コントローラは、各半径位置における前記アシスト領域による減磁領域と、前記アシスト領域と前記記録磁界による記録幅とを測定することで、前記差分を測定する。これにより正確に測定を行うことができる。
【００２０】
本発明の他の態様は、記録素子からの記録磁界とアシスト素子からのアシスト・エネルギーにより磁気ディスクの記録層にデータを記録する磁気記録装置に対する設定方法である。この方法は、磁気ディスクの異なる半径位置において前記記録素子による記録磁界幅の中心と前記アシスト領域の中心との差分を測定する。前記測定結果に応じて、前記磁気ディスクの半径位置に応じた前記アシスト領域の大きさを決定する。前記半径位置に応じた前記アシスト領域の大きさを表すデータを登録する。このような測定により、アシスト領域の制御に必要なデータを正確に得ることができる。
【発明の効果】
【００２１】
本発明によれば、適切な記録アシスト径を与えることで、半径位置に応じて所望の記録幅を実現することができる。
【発明を実施するための最良の形態】
【００２２】
以下に、本発明を適用した実施の形態を説明する。説明の明確化のため、以下の記載及び図面は、適宜、省略及び簡略化がなされている。各図面において、同一要素には同一の符号が付されており、説明の明確化のため、必要に応じて重複説明は省略されている。以下においては、磁気記録装置の一例であるハードディスク・ドライブ（ＨＤＤ）に本発明を適用した実施形態について説明する。また、本実施形態においては、熱アシスト記録方式を採用するＨＤＤについて主に説明する。なお、本発明は、熱エネルギーや電磁波エネルギーなど、いずれのアシスト・エネルギーを使用するアシスト磁気記録方式にも適用することができる。
【００２３】
図１Ａ〜図１Ｄを用いて、図１１Ｃを参照して説明したハイブリッド方式のＨＤＤについて、熱スポット径および熱スポットと記録磁界との距離を測定する方法を説明する。ハイブリッド方式において、特定のトラック幅を設定した場合は、隣接トラックに影響を及ぼさないように熱スポットおよび記録磁界を制御しなければならない。逆にある信号品質を確保できるよう記録幅を設定した場合は、熱スポットおよび記録磁界による減磁が生じる範囲を含めたトラック・ピッチの設計を行わなければならない。
【００２４】
これらを実現するために、ＨＤＤの設計あるいは製造において、熱スポット径および熱スポットと記録磁界との距離の測定が重要になる。この熱スポット径の測定方法について説明する。この測定は、ＨＤＤの設計のためのテストあるいはＨＤＤの製造におけるテスト工程において、テスト装置あるいはＨＤＤが行う。
【００２５】
最初に、図１Ａのように、測定する位置とその近傍数トラック分を、一定記録周波数で記録する。図１Ａにおいて、左右方向が半径方向であり、上下方向が円周方向である。記録パターン１０１の左右に消去幅１０２を有するバンドが形成されている。記録パターン１０１は、ＨＤＤに実装される記録素子と熱アシスト素子とは異なる素子により予め磁気ディスクに記録しておく、あるいは、ＨＤＤ内のヘッドにより記録パーン１０１を記録面に書き込む。
【００２６】
記録周波数は、例えば、最高記録周波数（１ビット毎のビット反転）の１／１０倍など、十分に大きな読み出し信号が得られる周波数であればよく、記録する範囲１２０は熱アシスト素子と記録素子との公差を含む設計値に対して十分広い範囲である。予め記録してある範囲１２０のオフトラック・プロファイル１０３は、半径方向（図の左右方向）において一定周期の振幅変化を示す。
【００２７】
次に、図１Ｂに示すように、一定記録周波数で記録された領域１２０に対して、熱アシスト素子のみを稼動させて熱スポット１０４による減磁を行う。減磁領域１０７は、熱スポット１０４の径１２１と一致する幅である。減磁領域１０７を含む一定周波数の領域１２０を、微小量ずつ半径方向における位置を変えて再生素子で読み出すことで、オフトラック・プロファイル１０８を作成する。
【００２８】
一定周波数の領域１２０において、減磁された領域の振幅は劣化している。従って、この振幅の劣化した幅を測定することで、熱スポット径１２１を測定することができる。さらに、熱アシスト素子への供給パワー（熱アシスト素子の出力）を変化させながら上記の測定を繰り返し行うことで、熱アシスト素子への供給パワーに対する熱スポット径１２０の変化量を得ることができる。
【００２９】
同様に、図１Ｃのように、記録素子１０５による記録磁界のみを発生させることで、一定記録周波数で記録された領域１２０に対して記録磁界による減磁を行う。減磁領域１０９の幅は、記録磁界幅１２２と一致する幅である。減磁領域１０９を含む一定周波数の領域１２０を、微小量ずつ半径方向における位置を変えて再生素子で読み出すことで、オフトラック・プロファイル１１０を作成する。なお、図１Ｂと図１Ｃにおいて、減磁領域の幅１２１、１２２を規定する振幅値（ＡＭＰＬＩＴＵＤＥ）が異なって見えるが、これは、それぞれの減磁領域に隣接するのが記録パターン１０１であるか消去幅１０２であるかの相違によるものに過ぎない。
【００３０】
一定周波数の領域１２０において、振幅の劣化した幅を測定することで、記録磁界幅１２２を測定することができる。さらに、記録素子１０５への記録電流（記録パワー）を変化させながら上記の測定を繰り返し行うことで、記録素子１０５への記録電流に対する記録磁界幅１２２の変化量を得ることができる。
【００３１】
次に、図１Ｄに示すように、選択した半径位置において、規定の熱スポット径１２３となる熱アシスト素子のパワーを設定し、熱スポット１０４による減磁のオフトラック・プロファイル１１１を作成する。また、規定の記録磁界幅１２４となる記録電流を設定し、記録を行う。この記録領域を微小量ずつ半径方向における位置を変えて再生素子により読み出すことで、記録磁界幅１２４による減磁のオフトラック・プロファイル１１２を作成する。プロファイル１１１の中心位置１２５とプロファイル１１２の中心位置１２７の差１２６は、測定を行っている半径位置での熱スポット１０４と記録磁界との位置ずれ量を示している。さらに、半径位置を変えて、異なる複数の半径位置において熱スポットと記録磁界との位置ずれ量を測定する。これにより、異なる半径位置のそれぞれにおいて、半径方向のずれ量を検出できる。
【００３２】
上記の手法で得られた熱スポットと記録磁界との位置ずれ量と半径位置との関係、記録電流と記録磁界幅の関係、そして、パワーと熱スポット径との関係とから、各半径位置で最適となる熱スポット径１０４および記録磁界幅１２４となる、熱アシスト素子のパワーと記録電流とを決定することができる。ＨＤＤは、その決定されたパワーと記録電流によりデータ記録を行う。このように、ハイブリッド方式のＨＡＭＲにおいて、熱スポット径および熱スポットと記録磁界との位置ずれ量を測定することで、最適な熱アシスト素子の出力（パワー）を求めることができる。
【００３３】
次に、図２Ａ〜図２Ｃを用いて、図１１Ｂを参照して説明した熱スポット方式のＨＤＤについて、熱スポット径および熱スポットと記録磁界との距離を測定する方法を説明する。熱スポット方式において、特定トラック幅を設定した場合は、熱スポットがその特定トラック幅に合うように制御することが重要である。
【００３４】
最初に、図２Ａのように、測定位置及びその近傍に、数トラックを一定記録周波数で記録しておく。記録パターン１０１は、ＨＤＤに実装される記録素子と熱アシスト素子とは異なる素子により予め磁気ディスクに記録しておく。記録周波数は、図１Ａを参照して説明した例と同様に、ある程度大きいことが望ましい。後に信号の記録再生のプロファイルを作成するため、振幅が飽和しない程度（最高記録周波数の１／４〜１／６倍程度が好ましい。また、記録再生の範囲は、図１Ａを参照して説明した例と同様である。
【００３５】
続いて、図２Ｂに示すように、一定記録周波数で記録された領域１２０に、熱源（熱アシスト素子）のみを稼動させ、一定記録周波数で記録された領域１２０の一部を減磁させる。次に、減磁領域を含む一定周波数の領域１２０を、微小量ずつ半径方向における位置を変えて再生素子で読み出すことで、オフトラック・プロファイル１０８を作成する。一定周波数の領域１２０に対して、減磁された箇所の振幅は劣化している。この振幅の変化した幅を測定することで、熱スポット径１２１を測定することができる。また、熱アシスト素子の出力（パワー）を変化させながら上記測定を行うことで、熱アシスト素子のパワーに対する熱スポット径の変化量を得ることができる。
【００３６】
次に、図２Ｃのように、特定の半径位置で、規定の熱スポット径１２３となる熱アシスト素子のパワーを設定する。熱スポット１０４による減磁のオフトラック・プロファイル１１１を作成し、熱スポット１０４の中心位置１２５を特定する。さらに、同一のディスク半径位置において、規定の熱スポット径１２３と記録磁界幅１２４となるように熱アシスト素子のパワーおよび記録電流を設定し、記録を行う。記録した領域を再生素子により半径位置を微小量ずつ変化させて読み出すことで、記録のオフトラック・プロファイル１１３を作成する。
【００３７】
記録のオフトラック・プロファイル１１３における信号のピーク位置１２８は記録磁界の中心位置に等し。このプロファイル１１３の中心位置１２８と熱スポットによる減磁のプロファイル１１１の中心位置１２５との差分１２９は、そのディスク半径位置での熱スポットと記録磁界との位置ずれ量を示している。このように、各半径位置での半径方向のずれ量を検出できる。
【００３８】
上記の測定を、異なる複数の半径位置において行う。この測定で得られた熱スポットと記録磁界の位置ずれ量と半径位置との関係、そして、熱スポット径とパワーとの関係から、各半径位置で最適となる熱スポット径となるように熱アシスト素子のパワーを決定することができる。ＨＤＤは、このパワーにおいて熱アシスト素子を制御する。このように、熱スポット方式のＨＡＭＲにおいて、熱スポット径および熱スポットと記録磁界との位置ずれ量を上述のように測定することで、最適な熱アシスト素子のパワーを求めることができる。
【００３９】
次に、図３Ａ〜図３Ｃを用いて、図１１Ａを参照して説明した磁界方式のＨＤＤについて、熱スポット径と記録磁界との間の関係を測定する方法を説明する。磁界方式において特定のトラック幅を設定した場合は、そのトラック幅のよりも広い領域を覆うように熱スポットを制御することが重要である。また、消費電力秘伝の観点から、熱スポット径はできるけ小さいことが好ましい。
【００４０】
まず、図３Ａに示すように、十分に大きな径の熱スポット２０１を形成するように熱アシスト素子のパワーを制御する。このときの熱スポットは、Ｈｗ＞Ｈｃとなる記録磁界の全範囲を覆う。従って、記録幅２２１は、記録磁界の幅（図において記録素子２０２のトレーリング・エッジの幅）に等しい。このオフトラック・プロファイル２０３のトラック幅２２２をＴｗ０とする。
【００４１】
次に、図３Ｂに示すように、熱源のパワーを制御し、熱スポット径が小さくなるように変化させながら、記録幅を測定する。このとき、Ｔｗ０より記録幅が狭くなる径の熱スポット２０４によるオフトラック・プロファイル２０５は、トラック幅２２４を有する。図３Ｃに、トラック幅と熱源のパワーとの関係を示す。トラック幅が減少を始める点２０６では、熱スポット径が記録磁界の端部にかかっている。この状態が、このヘッド位置（半径位置）での最適な熱スポット径となる。
【００４２】
ＨＤＤは、各トラック（半径位置）において、上記の手法で得られた記録磁界端部まで覆う熱スポット径になるように、熱スポット（熱アシスト素子の出力）を制御する。このように、磁界方式のＨＡＭＲにおいて、上述の測定により半径位置に応じた適切な熱アシスト素子のパワーを求めることができる。
【００４３】
以下において、本実施形態におけるＨＤＤの記録動作について説明する。上記三つのＨＡＭＲ方式のそれぞれについて、ＨＤＤの記録動作を説明する。まず、図４を参照して、ハイブリッド方式のＨＡＭＲを実装したＨＤＤにおける好ましい記録動作について説明する。ハイブリッド方式のＨＡＭＲにおいては、熱スポットと記録磁界の双方により、記録層の磁化が減磁される。図４の構成において、熱アシスト素子は、磁気記録素子に対して、円周方向（飛行方向）の後方側（トレーリング側）に配置されている。ハイブリッド方式のＨＡＭＲにおいて、熱スポットと記録素子（記録磁界）との位置関係により、熱スポットおよび記録磁界による減磁領域の大きさが変化する。
【００４４】
図４（ａ）は、内周側のデータ・トラックに記録する際の好ましい熱スポット（の位置）３０１、磁気記録素子（の位置）３０２、そして、記録幅３２２の関係を示している。データ・トラックは、データが記録されている中央の記録域と、その両側の減磁域と、で構成されている。記録域の幅が記録幅３２２である。データ・トラックの幅３２１は、記録幅３２２と減磁域の幅の和である。ハイブリッド方式においては、データ・トラックの端は、熱スポットの端と記録磁界の端のうちのより外側にある一方で規定される。図４において、トラック幅３２１、３２３、３２５と記録磁界の幅（図１Ｃにおける１２２）とが一致している。
【００４５】
ヘッド・スライダは、図の上側から下側に移動（飛行）する。データ記録域は、熱スポット位置３２２と記録磁界とが同時に重なっている位置に形成される。図４において、記録素子のトレーリング・エッジと熱スポットが重なる位置で、最終的な記録幅が決まる。なお、本図では、記録素子位置３０２と記録磁界の位置とは一致しているとする。この点は、以下の各図の説明において同様である。
【００４６】
図４（ａ）に示す内周側では、スキュー角の影響で、記録幅３２１（記録素子位置３０２）の中心に対して、熱スポット位置３０１（熱アシスト素子）の中心は、内周側へずれる。好ましくは、ＨＤＤは、熱スポット位置３０１の内周側の端３０１ａを、記録磁界（記録素子位置３０２）の内周側の端３０２ａよりも外周側に位置するように熱スポットの径を制御する。このとき、熱スポット位置３０１の外周側の端は、記録磁界の外周側の端位置よりも内周側になる。
【００４７】
つまり、熱スポット位置３０１の内周端と外周端の双方が、半径方向において記録磁界内に収まる。これにより、内周側の隣接データ・トラックへの熱スポットによる影響を防ぐことができる。さらに好ましくは、ＨＤＤは、熱スポット位置３０１の内周側の端３０１ａを記録磁界の内周側の端３０２ａにあわせるように、熱スポットの径を制御する。これにより、記録幅に対する減磁幅の比を小さくすることができる。
【００４８】
なお、スキュー角は、記録素子１０５の位置におけるヘッド・スライダの長手方向と磁気ディスクの円周接線方向（トラック接線方向）との間の角度である。上記ヘッド・スライダの長手方向の上記円周接線に対するずれの方向は、内周側と外周側とで異なるが、本発明においては、ずれが内周側・外周側の関係なく、ずれた角度が問題となる。そのため、スキュー角は絶対値で考えればよいので、常に０もしくは正の数で記載している。
【００４９】
次に、図４（ｂ）に中周のデータ・トラックに記録する際の好ましい熱スポット位置３０３、磁気記録素子位置３０４、そして、記録幅３２４の関係を示す。中周においては、熱スポット位置３０３（熱アシスト素子）の中心は、記録幅３２３（記録素子位置３０４）の中心とほぼ同じ位置にある。このとき、熱スポットの両端３０３ａおよび３０３ｂが、記録磁界（記録素子位置３０４）の両端３０４ａおよび３０４ｂ内に収まるように制御する。これにより、両側隣接データ・トラックへの熱スポットによる影響を防ぐことができる。特に、熱スポットの両端３０３ａおよび３０３ｂが、記録磁界の両端３０４ａおよび３０４ｂに一致する場合、記録幅に対する減磁幅の比を小さくすることができる。
【００５０】
最後に、図４（ｃ）に外周側のデータ・トラックに記録する際の熱スポット位置３０５、磁気記録素子位置３０６、そして、記録幅３２６の関係を示す。外周側では、スキュー角の影響で、記録幅３２６（記録素子位置３０６）の中心に対して、熱スポット位置３０５（熱アシスト素子）の中心は、外周側へずれる。ＨＤＤは、熱スポットの外周側の端３０５ｂを記録磁界の外周側の端３０６ｂよりも内周側に位置するように熱スポットの径を制御する。
【００５１】
このとき、熱スポット位置３０１の内周側の端は、記録磁界の内周側の端位置よりも外周側になる。つまり、熱スポット位置３０１の内周端と外周端の双方が、半径方向において記録磁界内に収まる。これにより、外側の隣接データ・トラックへの熱スポットによる影響を防ぐことができる。さらに好ましくは、ＨＤＤは、熱スポットの外周側の端３０５ｂを記録磁界の外周側の端３２５ｂにあわせるようにスポット径を制御する。これにより、記録幅に対する減磁幅の比を小さくすることができる。
【００５２】
図４を参照して具体的に説明したように、ＨＤＤは、記録素子による記録磁界の端を基準に熱スポットの径を制御することで、所望のトラック幅を確保すると共に、熱スポットによる隣接データ・トラックへの影響を低減する。具体的には、ＨＤＤは、スキュー角の増加に応じて熱スポット径を小さくする。例えば、ＨＤＤは半径位置（トラック）に応じた熱スポット径（熱アシスト素子のパワー（出力））を規定する関数あるいはテーブルを有しており、それらに従って、熱スポット径を制御する。熱スポット径をトラック毎に規定する、あるいは、複数の連続するトラックのグループに対して一つの熱スポット径を規定してもよい。
【００５３】
この磁気記録制御、特に、その熱スポット制御により、ハイブリッド方式のＨＡＭＲにおいて、全ての半径位置で、適切なトラック・ピッチの設定、もしくは、設定されたトラック・ピッチに適切な熱スポット径を実現することができる。
【００５４】
上記の制御方法のほかに、記録磁界による減磁領域が、内周側と外周側で分かっている場合、ＨＤＤは、隣接データ・トラックのデータ領域端を基準に熱スポット径を制御してもよい。例えば、内周側で記録磁界による減磁領域がわかっている場合は、ＨＤＤは、熱スポットの内周側の端を内周側隣接トラックの外周側データ領域端を基準に熱スポット径を制御してもよい。具体的には、熱スポットの内周側端を内周側隣接トラックの外周側データ領域端よりも外周側、あるいはそれに合わせるように制御する。
【００５５】
また、外周側で磁界による減磁領域がわかっている場合は、ＨＤＤは、熱スポットの外周側の端を外周側隣接トラックの内周側データ領域端を基準に熱スポット径を制御してもよい。具体的には、熱スポットの外周側の端部を外周側隣接トラックの内周側データ領域端よりも内周側、あるいはそれに合わせるように、熱スポット径を制御してもよい。このように、ＨＤＤは、結果として、隣接トラックのデータを減じさせないように熱スポット径を制御できればよい。
【００５６】
次に、図５を参照して、熱スポット方式のＨＡＭＲを実装したＨＤＤにおける好ましい記録動作について説明する。熱スポット方式のＨＡＭＲにおいて、熱スポットにより記録層の磁化が減磁され、記録磁界による減磁の影響は小さい、もしくは、無視しうる。熱アシスト素子と磁気記録素子のスライダ上の位置関係及びヘッド・スライダの移動方向（飛行方向）は、図４の構成と同様である。
【００５７】
図５（ｂ）は、中周のデータ・トラックに記録する際の好ましい熱スポット位置３３３、磁気記録素子位置（記録磁界形成位置）３４３、そして、記録幅３４４の関係を示す。特に、図５（ｂ）は、スキュー０における関係を例示している。中周においては、熱スポット位置３３３（熱アシスト素子）の中心は、記録幅３４４（記録素子位置３３４）の中心とほぼ同じ位置にある。
【００５８】
トラックの幅３４３は、熱スポットの径と一致している。隣接データ・トラックへの影響を避けるため、熱スポットの径は、記録磁界の幅以下であることが必要である。また、記録域に対する減磁域の比を小さくするためには、図５（ｂ）に例示するように、熱スポットの径と記録磁界の幅とが同一であることが好ましい。
【００５９】
図５（ａ）は、熱スポット方式の構成において、内周側のデータ・トラックに記録する際の好ましい熱スポット位置３３１、磁気記録素子位置（記録磁界形成位置）３３２、そして、記録幅３４２の関係を示している。記録域と減磁域とからなるデータ・トラックの幅３４１は、熱スポット径と一致している。内周側において、熱スポットの位置３３１の中心は、スキュー角の影響で、記録幅３４２（記録素子の位置３３２）の中心より内周側にずれている。
【００６０】
このため、中周におけるスキュー角が０度（図５（ｂ）参照）のときと同じ熱スポット径では、熱スポットの一部が内周側の隣接トラック３４０上に重なり、隣接トラック３４０に記録されたデータに熱減磁の影響が出る可能性が高い。ＨＤＤは、内周側データ・トラックの記録において、熱スポット径を小さくすることで、内周側の隣接トラック３４０に記録された信号が影響を受けないように制御する。
【００６１】
さらに、内周側領域においては、記録幅３４２の中心に対して、熱スポット径３４１の中心が内周側にずれている。つまり、データ・トラックにおける内周側の減磁域が、外周側の減磁域よも大きな幅を有している。そのため、好ましい方法として、本来の記録素子位置３３７から微小量外周側にずらした位置３３２をターゲットとして記録素子を位置決めすることにより、熱スポット径を大きくすることができ、十分な記録幅を得ることができる。この際、上述のとおり、熱スポット径が隣接トラックにかからないように制御する。
【００６２】
図５（ｃ）は、外周側のデータ・トラックに記録する際の好ましい熱スポット位置３３５、磁気記録素子位置（記録磁界形成位置）３３６、そして、記録幅３４６の関係を示している。記録域と減磁域とからなるデータ・トラックの幅３４５は、熱スポット径と一致している。外周側において、熱スポットの位置３３５の中心は、スキュー角の影響で、記録幅３４６（記録素子の位置３３６）の中心より外周側にずれている。
【００６３】
このため、中周におけるスキュー角が０度（図５（ｂ）参照）のときと同じ熱スポット径では、熱スポットの一部が外周側の隣接トラック３４７上に重なり、隣接トラック３４７に記録されたデータに熱減磁の影響が出る可能性が高い。ＨＤＤは、外周側データ・トラックの記録において、熱スポット径を小さくすることで、外周側の隣接トラック３４７に記録された信号が影響を受けないように制御する。
【００６４】
さらに、外周側領域においては、記録幅３４６の中心に対して、トラック幅３４５の中心が外周側にずれている。つまり、データ・トラックにおける外周側の減磁域が、内周側の減磁域よも大きな幅を有している。そのため、好ましい方法においては、本来の記録素子位置３３８から微小量内周側にずらした位置３３６に記録素子を位置決めすることにより、熱スポット径を大きくすることができ、十分な記録幅を得ることができる。この際、上述のとおり、熱スポット径が隣接トラックにかからないように制御する。
【００６５】
以上のように、ＨＤＤは、スキュー角の増加に応じて熱スポット径を小さくすることで、全ての半径位置で、適切なトラック・ピッチの設定、もしくは、設定されたトラック・ピッチに適切な熱スポット径を実現することができる。これにより、隣接トラックへの影響をできる限り小さくすることでき、隣接トラックのデータ信頼性を十分に確保することができる。さらに、記録素子位置を半径位置に応じて調整することで記録幅を大きくすることができる。
【００６６】
具体的な処理においては、例えば、ＨＤＤは半径位置（トラック）に応じた熱スポット径（パワー）を規定する関数あるいはテーブルを有しており、それらに従って、熱スポット径を制御する。ここで、熱スポット径をトラック毎に規定する、あるいは、複数の連続するトラックのグループに対して一つの熱スポット径を規定してもよい。
【００６７】
次に、図６を参照して、磁界方式のＨＡＭＲを実装したＨＤＤにおける好ましい記録動作について説明する。熱アシスト素子と磁気記録素子のスライダ上の位置関係及びヘッド・スライダの移動方向（飛行方向）は、図４の構成と同様である。磁界方式のＨＡＭＲにおいて、記録素子からの記録磁界により記録層の磁化は減磁されるが、熱スポットによる減磁の影響は小さい、あるいは、実質的に存在しない。
【００６８】
本構成において、ＨＤＤは、半径位置による記録幅の変化が小さくなるように、そして電力消費量が小さくなるように熱スポット径を制御する。図６（ａ）は、内周側の領域における、熱スポット位置３５１、記録素子位置（記録磁界位置）３５２、そして記録幅３６１の関係を示している。記録域は、磁気記録素子位置３５２により決まる。記録磁界の幅（半径方向における寸法）は、スキュー角の増加により減少する。従って、ＨＤＤは、内周側領域において熱スポット径を大きくすることで、スキューによる記録幅の減少の一部もしくは全部を補償する。
【００６９】
図６（ｂ）は、中周域の領域における、熱スポット位置３５３、記録素子位置（記録磁界位置）３５４、そして記録幅３６２の関係を示している。スキュー角は０である。記録域は、磁気記録素子位置３５４により決まる。記録磁界の幅（半径方向における寸法）は、スキュー角の減少により増加する。従って、ＨＤＤは、内周側領域において熱スポット径を小さくすることで、スキュー角の減少による記録幅の増加の一部もしくは全部を補償する。
【００７０】
図６（ｃ）は、外周側の領域における、熱スポット位置３５５、記録素子位置（記録磁界位置）３５６、そして記録幅３６３の関係を示している。記録域は、磁気記録素子位置３５６により決まる。記録磁界の幅（半径方向における寸法）は、スキュー角の増加により減少する。従って、ＨＤＤは、外周側領域において熱スポット径を大きくすることで、スキューによる記録幅の減少の一部もしくは全部を補償する。
【００７１】
以上のように、ＨＤＤは、スキュー角の増加に応じて熱スポット径を大きくすることで、記録磁界が記録位置を決定付ける系において、記録された信号の幅の半径位置に対する変化を小さくする、あるいは信号の幅を一定にすることができ、信号対雑音比を大きくすることができる。また、熱スポット径を磁気記録に不要な範囲を多く含まないように小さくすることで、消費電力を低減することができる。例えば、ＨＤＤは半径位置（トラック）に応じた熱スポット径（パワー）を規定する関数あるいはテーブルを有しており、それらに従って、熱スポット径を制御する。熱スポット径をトラック毎に規定する、あるいは、複数の連続するトラックのグループに対して一つの熱スポット径を規定してもよい。
【００７２】
以下において、図７Ａ〜図７Ｃを用いて、位置決め信号（サーボ・データ）の書き込み（サーボ・ライト）における熱スポット径の制御方法を説明する。一般的に、ＨＤＤ筐体に実装された磁気ディスクへのサーボ・ライトの手法として二つの方法が知られている。一つの方法は、外部の機構によりＨＤＤに実装されているアクチュエータを機械的に制御しながら、ＨＤＤに実装されているヘッド・スライダにより磁気ディスクにサーボ・データを書き込む。他の方法は、ＨＤＤに実装される制御回路あるいは外部コンピュータによりアクチュエータのボイス・コイル・モータを制御しながらＨＤＤに実装されているヘッド・スライダにより磁気ディスクにサーボ・データを書き込む。本発明は、いずれのサーボ・ライトにも適用することができる。
【００７３】
以下においては、ハイブリッド方式のＨＡＭＲによるサーボ・ライトの例を説明する。サーボ・データは、データ・トラック幅と同等かもしくは、データ・トラック幅よりも狭い幅（サーボ・トラック幅）で記録される。通常、データ・トラック幅は記録素子幅で決められる（もしくはデータ・トラック幅に合うように記録素子幅を形成する）。そのため、より狭い幅を持つサーボ・データは、その一部を上書きしながら書き進められる。以下において、ディスク１周で書き込まれるサーボ・データを、サーボ・ライト・トラックと呼ぶ。
【００７４】
通常、サーボ・データは、最内周から最外周へ、もしくは、最外周から最内周へと、全周にわたり一方向に書き込まれる。図７Ａ〜図７Ｃでは、最内周から最外周へ書きつなぐ例を説明する。ｎ番目のサーボ・ライト・トラックを書き込んだあと、ｎ＋１番目のサーボ・ライト・トラックを書き込む際には、ｎ番目のサーボ・ライト・トラックの外周側の部分はｎ＋１番目のサーボ・ライト・トラックに上書きされてしまう。
【００７５】
従って、ｎ＋１番目のサーボ・ライト・トラックが書き終わった時点で残っているｎ番目のサーボ・ライト・トラックは内周側の部分のみとなる。このため、熱スポットの内周端が記録磁界の内周端よりも外周側となるように、熱スポット径を制御する。これにより、先に書き込んだ内周側のサーボ・ライト・トラックに対して、熱スポットによる減磁の影響を防ぐことができる。好ましくは、図７Ａ〜７Ｃに例示するように、熱スポットの内周端を記録磁界の内周端にそろえるように熱スポット径を制御する。これにより、記録幅を広くすることができる。
【００７６】
具体的に説明する。内周側では、図７Ａに示すように、サーボ・ライト・トラックの書き込みに時において、スキュー角の影響により、熱スポット４０１の中心はサーボ・ライト・トラック４２１（最終的に記録されるトラック）の中心に対して内周側に位置がずれる。このため、熱スポット４０２の内周側の端を記録磁界（記録素子４１２）の内周端にそろえるように、熱スポット径を小さくする。このように制御することで、ｎｉ番目のサーボ・ライト・トラック４２１は、ｎｉ＋１番目のサーボ・ライト・トラック４２２が書き込まれた後でも、ｎｉ＋１番目のサーボ・ライト・トラック４２２の書き込み時における熱スポット４０２による劣化は生じない。
【００７７】
中周においては、図７Ｂに示すように、サーボ・ライト・トラックの書き込みに時において、熱スポット４０３、４０４の中心は、記録素子４１３、４１４の中心に一致する。熱スポット４０３、４０４の内周側の端を、記録磁界（記録素子４１３、４１４）の内周端にそろえるように、熱スポット径を制御する。これにより、ｎｍ番目のサーボ・ライト・トラック４２３、ｎｍ＋１番目のサーボ・ライト・トラック４２４が記録された後でも、ｎｍ＋１番目のサーボ・ライト・トラック４２４の記録時における熱スポット４０４による劣化は生じない。
【００７８】
同様に、外周側では、図７Ｃに示すように、熱スポット４０５、４０６の中心は、書き込み時におけるサーボ・ライト・トラック中心に対して外周側に位置がずれる。このため、熱スポット径を大きくして、熱スポット４０５、４０６を記録磁界（記録素子４１５、４１６）の内周端にそろえる。このように制御することで、ｎｏ番目のサーボ・ライト・トラック４２５は、ｎｏ＋１番目のサーボ・ライト・トラック４２６が書き込まれた後でも、ｎｏ＋１番目のサーボ・ライト・トラック４２６の記録時における熱スポット４０６による劣化は生じない。
【００７９】
書きつなぐ方向が外周から内周に進む場合は、熱スポットと記録磁界の外周端をそろえるように熱スポット径を制御して、上述と同様にサーボ・データを書き進めればよい。上述のようにヘッド位置にあわせて熱スポット径を制御することで、熱スポットによる隣接サーボ・データの減磁を防ぎ、品質のよいサーボ・データを書き込むことができる。
【００８０】
以下において、図８Ａ〜図８Ｄを用いて、シングルドライト（Shingled Write）記録方式における熱スポット径の制御方法を説明する。ハイブリッド方式のＨＡＭＲの例について具体的に説明する。シングルドライト記録方式は、連続した複数のデータ・トラックを連続して記録し、その際に、データ・トラックの一部を上書きすることで狭トラック化を実現する記録方式である。通常、数トラックから数十トラックをグループ化し、グループ単位での記録を行う。また、シングルドライト記録方式において、半径位置によらず書き進む方向が一定の場合と、半径位置によって書き進む方向を変化させる場合の２通りの手法がある。
【００８１】
図８Ａおよび図８Ｂに、グループ化されたトラックに対して外周側から内周側に書き進む例を示す。また、図８Ｃおよび図８Ｄに、グループ化されたトラックに対して、内周側から外周側に書き進む例を示す。図８Ａおよび図８Ｃは、記録するトラックが記録面全体の内周側にある場合を示している。また、図８Ｂおよび図８Ｄは、記録するトラックが記録面全体の外周側にある場合を示している。全ての図において、Ｘ本のトラックで、連続して記録再生する１グループを構成するとする。
【００８２】
まず、外周側から内周側に書き進む場合について説明する。このとき、ＨＤＤは、熱スポット径の外周端が記録磁界の外周端よりも内周側に位置するように熱スポット径を制御する。外周側領域では、図８Ｂのような配置となる。熱スポット位置５１３および５１４、記録素子位置５２３および５２４、記録するトラック位置５０３および５０４を示す。このとき、ｎ番目の熱スポット位置５１３は記録素子位置５２３に対して外周側にある。
【００８３】
ＨＤＤは、熱スポットの外周端５１３ａが記録磁界の外周端５２３ａよりも内周側に位置するように熱スポット径を小さくする。好ましくは、熱アシスト素子の出力を制御し、熱スポットの外周側端５１３ａを記録磁界の外周側端５２３ａにそろえる。これにより、熱スポットの内周端も記録磁界の内周端の外周側に位置し、熱スポットの幅は記録磁界の幅内に収まる。
【００８４】
ｎ番トラック５０３を記録後、ｎ＋１番トラック５０４を記録する際には、ｎ番トラック５０３の一部を重ねて記録する。ｎ＋１番トラック５０４の記録における熱スポット制御もｎ番トラック５０３における記録と同様である。本図の例においては、ＨＤＤは、熱スポットの外周側端部５１４ａを記録磁界の外周側端部５２４ａにそろえるように熱スポット径を制御して記録する。これにより、ｎ番トラック５０３に記録された情報は、ｎ＋１番トラック５０４を記録する際の熱スポット５１４により減磁されることなく、記録情報を保持することができる。
【００８５】
内周側領域では、図８Ａのような配置となる。このとき、熱スポット位置５１１は記録素子位置５２１に対して、内周側にある。外周側における制御と同様に、ＨＤＤは、熱スポット５１１の外周側端５１１ａを記録磁界の外周側端５２１ａよりも内周側となるように熱スポット径を大きくする。好ましくは、熱スポット５１１の外周側端５１１ａを記録磁界の外周側端部５２１ａにそろえる。これにより、ｍ番トラック５０１は記録磁界の外周側端まで、情報を記録することができる。
【００８６】
その後、ｍ＋１番トラック５０２を記録する際には、ｍ番トラック５０１の一部を重ねて記録する。熱スポット制御は、ｍ番トラック５０１の記録におけるものと同様である。ｍ番トラック５０１は記録磁界の外周側端部まで情報が記録されているため、ｍ＋１番トラックが記録されても、情報が失われることがない。また、熱スポット５１２の外周側端５１２ａを記録磁界の外周側端５２２ａよりも内周側になるように制御することで、ｍ＋１番トラック５０２を記録する際の熱スポット５１２により減磁されることはない。
【００８７】
内周側領域においては、熱スポットの内周側端が記録磁界の内周側端よりも内周側にある。このため、グループの最内周のデータ・トラックの記録において、内周側隣接グループのデータ・トラックに減磁の影響を及ぼす可能性がある。この減磁に対する対応としては、いくつかの方法が考えられる。例えば、二つのグループの間に熱スポットによる減磁の影響を小さくするようにスペースを設ける、最内周トラックのデータ記録における熱スポット径を小さくする、あるいは、熱スポットの減磁によっても十分は記録幅を得ることができるように設計する。
【００８８】
次に、内周側から外周側に書き進む例（図８Ｃ、図８Ｄ）について説明する。このとき、ＨＤＤは、熱スポット径の内周端が記録磁界の内周端よりも外周側に位置するように熱スポット径を制御する。内周側では、図８Ｃのような配置となる。このとき、熱スポット位置５６３は記録素子位置５７３に対して内周側にある。ＨＤＤは、熱スポットの内周側端５６３ｂを記録磁界の内周側端５７３ｂよりも外周側となるように、熱スポット径（を規定する熱アシスト素子の出力）を制御する。このとき、外周側においても、熱スポットの端は記録磁界の端よりも内周側にある。好ましくは、熱スポットの内周側端５６３ｂを記録磁界の内周側端５７３ｂにそろえる。
【００８９】
ｍ＋Ｘ番トラック５５３を記録後、ｍ＋Ｘ−１番トラック５５４を記録する際には、ＨＤＤは、ｍ＋Ｘ番トラック５５３の一部を重ねて記録する。熱スポット径を小さくするように制御して記録したことにより、ｍ＋Ｘ番トラック５５３に記録された情報は熱スポット５６４ｂにより減磁されることなく記録情報を保持することができる。
【００９０】
外周側では、図８Ｄのような配置となる。このとき、熱スポット位置５６１は記録素子位置５７１に対して、外周側にある。ＨＤＤは、熱スポットの内周側端５６１ｂを記録磁界の内周側端５７１ｂよりも外周側に位置するように熱スポット径（を規定する熱アシスト素子の出力）を制御する。好ましくは、熱スポットの内周側端部５６１ｂを記録磁界の内周側端部５７１ｂにそろえるように、熱スポット径が大きくする。ｎ＋Ｘ番トラック５５１は記録磁界の内周側端部５７１ｂまで、情報を記録することができる。
【００９１】
その後、ｎ＋Ｘ−１番トラック５５２を記録する際には、ｎ＋Ｘ番トラック５５１の一部を重ねて記録するが、ｎ＋Ｘ番トラック５５１は記録磁界の内周側端部５７１ｂまで情報が記録されているため、ｎ＋Ｘ−１番トラック５５２が記録されても、情報が失われることがない。また、熱スポット５５２の内周側端部５５２ｂを記録磁界の内周側端部５５２ｂよりも外周側に位置する、好ましくは、それにそろえるように制御することで、ｎ＋Ｘ−１番トラック５５２を記録する際の熱スポット５６２により減磁されることはない。
【００９２】
外周側領域においては、熱スポットの外周側端が記録磁界の外周側端よりも外周側にある。このため、グループの最外周のデータ・トラックの記録において、外周側隣接グループのデータ・トラックに減磁の影響を及ぼす可能性がある。これに対しては、図８Ａ、８Ｂを参照して説明した例により対応することができる。
【００９３】
以上のように、本構成により、ＨＡＭＲにシングルドライト記録方式を用いた磁気記録装置において、従来のシングルドライト方式と同様のトラック・ピッチを実現でき、熱スポットによるデータの減磁や熱スポット位置のずれにより、品質の低いデータ（信号）の書き込みを防ぐことができる。
【００９４】
最後に、本発明を適用することができるＨＤＤの全体構成について、図９を参照して説明する。ＨＤＤの全体構成を模式的に示すブロック図である。ＨＤＤ１は、エンクロージャ１０内に、データを記憶するディスクである磁気ディスク１１を有している。ＳＰＭ１４は、磁気ディスク１１を所定の角速度で回転する。磁気ディスク１１の各記録面に対応して、磁気ディスク１１にアクセスするヘッド・スライダ１２が設けられている。
【００９５】
各ヘッド・スライダ１２はアクチュエータ１６の先端部に固定されている。アクチュエータ１６はＶＣＭ１５に連結され、回動軸を中心に回動することによって、ヘッド・スライダ１２を回転する磁気ディスク１１上においてその半径方向に移動する。各ヘッド・スライダ１２は、磁気ディスク上を飛行するスライダと、スライダに固定され磁気信号と電気信号との間の変換を行うヘッド素子部とを備えている。本形態のヘッド・スライダ１２は、さらに、記録素子からの記録磁界による磁気記録をアシストするエネルギーを磁気記録層に照射する記録アシスト素子を有している。
【００９６】
エンクロージャ１０の外側に固定された回路基板２０上には、回路素子が実装されている。モータ・ドライバ・ユニット２２は、ＨＤＣ／ＭＰＵ２３からの制御データに従って、ＳＰＭ１４及びＶＣＭ１５を駆動する。ＲＡＭ２４は、リード・データ及びライト・データを一時的に格納するバッファとして機能する。エンクロージャ１０内のアーム電子回路（ＡＥ）１３は、複数のヘッド・スライダ１２の中から磁気ディスク１１へのアクセスを行うヘッド・スライダ１２を選択し、その再生信号を増幅してリード・ライト・チャネル（ＲＷチャネル）２１に送る。また、ＲＷチャネル２１からの記録信号と記録アシスト素子への信号（パワーを含む）とを選択したヘッド・スライダ１２に送る。なお、本発明は一つのヘッド・スライダ１２のみを有するＨＤＤに適用することができる。また、記録アシスト素子へ信号は、ＡＥ１３と異なる回路が与えてもよい。
【００９７】
ＲＷチャネル２１は、リード処理において、ＡＥ１３から供給されたリード信号を一定の振幅となるように増幅し、取得したリード信号からデータを抽出し、デコード処理を行う。読み出されるデータは、ユーザ・データとサーボ・データとを含む。デコード処理されたリード・ユーザ・データ及びサーボ・データは、ＨＤＣ／ＭＰＵ２３に供給される。また、ＲＷチャネル２１は、ライト処理において、ＨＤＣ／ＭＰＵ２３から供給されたライト・データを符号化し、更に符号化されたライト・データをライト信号（アナログ信号）に変換してＡＥ１３に供給する。
【００９８】
コントローラであるＨＤＣ／ＭＰＵ２３は、リード／ライト処理制御、コマンド実行順序の管理、サーボ信号を使用したヘッド・スライダ１２のポジショニング制御（サーボ制御）、ホスト５１との間のインターフェース制御、ディフェクト管理、エラーが発生した場合のエラー対応処理など、データ処理に関する必要な処理及びＨＤＤ１の全体制御を実行する。ＨＤＣ／ＭＰＵ２３は、ＡＥ１３に制御データを設定することで、記録アシスト素子が形成するアシスト範囲の制御を行う。ＨＤＣ／ＭＰＵ２３によるアシスト範囲の制御は、本本実施形態において説明した方法に従う。
【００９９】
以上、本発明を好ましい実施形態を例として説明したが、本発明が上記の実施形態に限定されるものではない。当業者であれば、上記の実施形態の各要素を、本発明の範囲において容易に変更、追加、変換することが可能である。たとえば、本実施例ではＨＤＤを例に挙げて説明したが、ＭＯなどＨＡＭＲを利用した情報記録再生装置においても適用可能である。
【０１００】
さらには、熱アシスト素子は磁気記録素子に対して後方(トレーリング)側に設置しているが、熱源を磁気記録素子に対して前方(リーディング)側に設置した装置においても、上記実施例の効果を実現するように制御することで適用可能である。本発明は熱以外のエネルギーを磁気記録層に与えて磁気記録をアシストする磁気ディスク・ドライブにも適用することができる。
【図面の簡単な説明】
【０１０１】
【図１Ａ】本実施形態において、ハイブリッド方式での熱スポット径の測定方法を示す図である。
【図１Ｂ】本実施形態において、ハイブリッド方式での熱スポット径の測定方法を示す図である。
【図１Ｃ】本実施形態において、ハイブリッド方式での熱スポット径の測定方法を示す図である。
【図１Ｄ】本実施形態において、ハイブリッド方式での熱スポット径の測定方法を示す図である。
【図２Ａ】本実施形態において、熱スポット方式での熱スポット径の測定方法を示す図である。
【図２Ｂ】本実施形態において、熱スポット方式での熱スポット径の測定方法を示す図である。
【図２Ｃ】本実施形態において、熱スポット方式での熱スポット径の測定方法を示す図である。
【図３Ａ】本実施形態において、磁界方式での熱スポット径の測定方法を示す図である。
【図３Ｂ】本実施形態において、磁界方式での熱スポット径の測定方法を示す図である。
【図３Ｃ】本実施形態において、磁界方式での熱スポット径の測定方法を示す図である。
【図４】本実施形態においてハイブリッド方式での最適な熱スポット径を示す図である。
【図５】本実施形態において、熱スポット方式での最適な熱スポット径を示す図である。
【図６】本実施形態において、磁界方式での最適な熱スポット径を示す図である。
【図７Ａ】本実施形態において、位置決め信号を記録する際の最適な熱スポット径を示す図である。
【図７Ｂ】本実施形態において、位置決め信号を記録する際の最適な熱スポット径を示す図である。
【図７Ｃ】本実施形態において、位置決め信号を記録する際の最適な熱スポット径を示す図である。
【図８Ａ】本実施形態において、シングルドライト記録方式における最適な熱スポット径を示す図である。
【図８Ｂ】本実施形態において、シングルドライト記録方式における最適な熱スポット径を示す図である。
【図８Ｃ】本実施形態において、シングルドライト記録方式における最適な熱スポット径を示す図である。
【図８Ｄ】本実施形態において、シングルドライト記録方式における最適な熱スポット径を示す図である。
【図９】本実施形態において、ＨＤＤの全体構成を模式的に示すブロック図である。
【図１０】従来技術の説明において磁気ディスクの保磁力と温度の関係を示す図である。
【図１１Ａ】ＨＡＭＲの各種方式を示す図である。
【図１１Ｂ】ＨＡＭＲの各種方式を示す図である。
【図１１Ｃ】ＨＡＭＲの各種方式を示す図である。
【符号の説明】
【０１０２】
１０１：記録パターン、１０２：消去幅、１０３：オフトラック・プロファイル
１０４：熱スポット、１０５：磁気記録素子、１０７：熱スポットによる消去領域
１０８：熱スポットにより消去されたオフトラック・プロファイル
１０９：磁界による消去領域
１１０：磁界により消去されたオフトラック・プロファイル
１１１：スキューが付いた熱スポットにより消去されたオフトラック・プロファイル
１１２：スキューが付いた場合の磁界により消去されたオフトラック・プロファイル
１２３：熱スポット径、１２４：磁界幅、１２５：熱スポット中心
１２６：記録磁界中心、１２７：熱スポットと磁界との位置ずれ、２０１:熱スポット径
２０２:磁気記録素子、２０３:プロファイル、２０４：熱スポット径
２０５:磁気記録素子、２０５：プロファイル、２０６：トラック幅が減少する点
２２１:記録幅、２２２：半値幅、２２３：記録幅、２２４：半値幅
３０１、３０３、３０５：熱スポット径、３０２、３０４、３０６：磁気記録素子
３２１、３２３、３２５：トラック幅、３２２、３２４、３２６：記録トラック
３３１、３３３、３３５：熱スポット径、３３２、３３４、３３６：磁気記録素子
３４１、３４３、３４５：トラック幅、３４２、３４４、３４６：記録トラック
３５１、３５３、３５５：熱スポット径、３５２、３５４、３５６：磁気記録素子
３６０、３６４：隣接トラック、３６１、３６２、３６３：記録トラック
４０１〜４０６：熱スポット、４１１〜４１６：磁気記録素子
４２１：ｎｉ番目の位置決め信号、４２２：ｎｉ＋１番目の位置決め信号
４２３：ｎｍ番目の位置決め信号、４２４：ｎｍ＋１番目の位置決め信号
４２５：ｎo番目の位置決め信号、４２６：ｎo＋１番目の位置決め信号
５０１：ｍ番目のトラック、５０２：ｍ＋１番目のトラック、５０３：ｎ番目のトラック
５０４：ｎ＋１番目のトラック５５１：ｎ＋Ｘ番目のトラック
５０２：ｎ＋Ｘ−１番目のトラック、５０３：ｍ＋Ｘ番目のトラック
５０４：ｍ＋Ｘ−１番目のトラック、５１１〜５１４、５６１〜５６４：熱スポット
５２１〜５２４、５７１〜５７４：磁気記録素子
【図１Ａ】
2010123232.tif 000003
【図１Ｂ】
2010123232.tif 000004
【図１Ｃ】
2010123232.tif 000005
【図１Ｄ】
2010123232.tif 000006
【図２Ａ】
2010123232.tif 000007
【図２Ｂ】
2010123232.tif 000008
【図２Ｃ】
2010123232.tif 000009
【図３Ａ】
2010123232.tif 000010
【図３Ｂ】
2010123232.tif 000011
【図３Ｃ】
2010123232.tif 000012
【図４】
2010123232.tif 000013
【図５】
2010123232.tif 000014
【図６】
2010123232.tif 000015
【図７Ａ】
2010123232.tif 000016
【図７Ｂ】
2010123232.tif 000017
【図７Ｃ】
2010123232.tif 000018
【図８Ａ】
2010123232.tif 000019
【図８Ｂ】
2010123232.tif 000020
【図８Ｃ】
2010123232.tif 000021
【図８Ｄ】
2010123232.tif 000022
【図９】
2010123232.tif 000023
【図１０】
2010123232.tif 000024
【図１１Ａ】
2010123232.tif 000025
【図１１Ｂ】
2010123232.tif 000026
【図１１Ｃ】
2010123232.tif 000027